(57)【要約】【課題】  複数の静止画ファイルの各々に対して所望の表示効果を個別に設定することができる画像再生装置および画像再生方法を提供する。【解決手段】  ユーザは、静止画ファイル情報の一覧から再生したい静止画ファイル（ＪＰＥＧ１１，ＪＰＥＧ２２，ＪＰＥＧ３７，・・・）を選択する。次に、選択した静止画ファイルの表示時間（７秒，５秒，２秒，・・・）、開始表示効果（フェード，ワイプ，ディゾルブ，・・・）および終了表示効果（スクロール，フェード，カット，・・・）を設定する。このように、各静止画ファイルに対して、所望の開始表示効果および終了表示効果を個別に設定できるようにしたことによって、複数の静止画ファイルを様々な表示パターンで連続的に再生することができ、よりユーザ好みの再生方法を実現することができる。【選択図】        図２
2006174134.tif 000002
【特許請求の範囲】
【請求項１】
複数の静止画ファイルが記録された記録媒体から、所定数の静止画ファイルを選択的に読出して連続再生する画像再生装置であって、
再生すべき前記所定数の静止画ファイルの各々の再生時間と、画像の表示を開始するときの効果を示す表示効果を示す開始表示効果と、画像の表示を終了するときの効果を示す表示効果を示す終了表示効果とを設定する設定手段、および
前記設定手段によって設定された再生時間と開始表示効果と終了表示効果に従って、前記所定数の静止画ファイルを連続再生し、それらの画像をディスプレイに表示させる制御手段を備える、画像再生装置。
【請求項２】
複数の静止画ファイルが記録された記録媒体から、所定数の静止画ファイルを選択的に読出して連続再生する画像再生装置であって、
再生すべき前記所定数の静止画ファイルの各々の再生時間と、画像切替え時の効果を示す表示効果とを設定する設定手段、および
前記設定手段によって設定された再生時間および表示効果に従って、前記所定数の静止画ファイルを連続再生し、それらの画像をディスプレイに表示させる制御手段を備える、画像再生装置。
【請求項３】
前記表示効果は、画像の表示を開始するときの表示効果を示す開始表示効果と、画像の表示を終了するときの表示効果を示す終了表示効果とを含む、請求項２に記載の画像再生装置。
【請求項４】
複数の静止画ファイルが記録された記録媒体から、所定数の静止画ファイルを選択的に読出して連続再生する画像再生方法であって、
再生すべき前記所定数の静止画ファイルの各々の再生時間と、画像切替え時の効果を示す表示効果とを設定する第１のステップ、および
前記第１のステップによって設定された再生時間および表示効果に従って、前記所定数の静止画ファイルを連続再生し、それらの画像をディスプレイに表示させる第２のステップを含む、画像再生方法。
【請求項５】
前記表示効果は、画像の表示を開始するときの表示効果を示す開始表示効果と、画像の表示を終了するときの表示効果を示す終了表示効果とを含む、請求項４に記載の画像再生方法。
【発明の詳細な説明】
【技術分野】
【０００１】
この発明は、画像再生装置に関し、特に、複数の静止画ファイルを連続再生する画像再生装置および画像再生方法に関する。
【背景技術】
【０００２】
ＤＶＤプレイヤーやデジタルカメラなど、複数の静止画ファイルを連続再生することができる画像再生装置では、予め設定された表示時間や各種表示効果（ワイプ，フェード，スクロールなど）に従って複数の静止画ファイルを自動的に連続再生することによって、静止画ファイルの表示パターンに変化を与えることができる。
【０００３】
下記の特許文献１には、所望の画像のみを所望の時間だけ順次自動的に再生できる電子カメラの画像記録再生装置が開示されている。この場合、予め再生すべきこまナンバーを順番に記録しておき、その順番に各こまに対して予め設定した時間ごとに自動的にこま送りするようにしている。
【０００４】
下記の特許文献２には、できるだけ少ない情報量で、静止画の連続再生に各種の変遷効果を与える方法が開示されている。この場合、複数の静止画情報により構成される静止画セットに対して、静止画の開始変遷効果および終了変遷効果を指定することができる。
【特許文献１】実開昭６３−３６８２号公報
【特許文献２】特開２００４−１２８７６５号公報
【発明の開示】
【発明が解決しようとする課題】
【０００５】
上述の特許文献１には、画像の表示時間の設定方法が開示されているが、画像の表示効果の設定方法については開示されていない。また、上述の特許文献２に開示されている方法では、静止画セットに含まれる複数の画像に各々に対して個別の変遷効果を設定するができなかった。また、静止画セットに含まれる複数の画像に対して同一の開始変遷効果および同一の終了変遷効果を設定することができるが、複数の画像の各々に対して個別の開始変遷効果および個別の終了変遷効果を設定することができなかった。
【０００６】
それゆえに、この発明の主たる目的は、複数の静止画ファイルの各々に対して所望の表示効果を個別に設定することができる画像再生装置および画像再生方法を提供することである。
【課題を解決するための手段】
【０００７】
この発明に係わる画像再生装置は、複数の静止画ファイルが記録された記録媒体から、所定数の静止画ファイルを選択的に読出して連続再生する画像再生装置であって、再生すべき所定数の静止画ファイルの各々の再生時間、画像の表示を開始するときの効果を示す表示効果を示す開始表示効果、および画像の表示を終了するときの効果を示す表示効果を示す終了表示効果とを設定する設定手段と、設定手段によって設定された再生時間と開始表示効果と終了表示効果に従って、所定数の静止画ファイルを連続再生し、それらの画像をディスプレイに表示させる制御手段とを備える。
【０００８】
この発明に係わる他の画像再生装置は、複数の静止画ファイルが記録された記録媒体から、所定数の静止画ファイルを選択的に読出して連続再生する画像再生装置であって、再生すべき所定数の静止画ファイルの各々の再生時間、および画像切替え時の効果を示す表示効果とを設定する設定手段と、設定手段によって設定された再生時間および表示効果に従って、所定数の静止画ファイルを連続再生し、それらの画像をディスプレイに表示させる制御手段とを備える。
【０００９】
好ましくは、表示効果は、画像の表示を開始するときの表示効果を示す開始表示効果と、画像の表示を終了するときの表示効果を示す終了表示効果とを含む。
【００１０】
この発明に係わる画像再生方法は、複数の静止画ファイルが記録された記録媒体から、所定数の静止画ファイルを選択的に読出して連続再生する画像再生方法であって、再生すべき所定数の静止画ファイルの各々の再生時間、および画像切替え時の効果を示す表示効果とを設定する第１のステップと、第１のステップによって設定された再生時間および表示効果に従って、所定数の静止画ファイルを連続再生し、それらの画像をディスプレイに表示させる第２のステップとを含む。
【００１１】
好ましくは、表示効果は、画像の表示を開始するときの表示効果を示す開始表示効果と、画像の表示を終了するときの表示効果を示す終了表示効果とを含む。
【発明の効果】
【００１２】
この発明に係わる画像再生装置では、再生すべき所定数の静止画ファイルの各々の再生時間、画像の表示を開始するときの効果を示す表示効果を示す開始表示効果、および画像の表示を終了するときの効果を示す表示効果を示す終了表示効果とを設定する設定手段と、設定手段によって設定された再生時間と開始表示効果と終了表示効果に従って、所定数の静止画ファイルを連続再生し、それらの画像をディスプレイに表示させる制御手段とが設けられる。この場合、再生すべき複数の静止画ファイルの各々に対して、所望の開始表示効果および終了表示効果を個別に設定できる。したがって、複数の静止画ファイルを様々な表示パターンで連続的に再生することができ、よりユーザ好みの再生方法を実現することができる。
【００１３】
この発明に係わる他の画像再生装置では、再生すべき所定数の静止画ファイルの各々の再生時間、および画像切替え時の効果を示す表示効果とを設定する設定手段と、設定手段によって設定された再生時間および表示効果に従って、所定数の静止画ファイルを連続再生し、それらの画像をディスプレイに表示させる制御手段とが設けられる。この場合、再生すべき複数の静止画ファイルの各々に対して、所望の表示効果を個別に設定することできる。したがって、複数の静止画ファイルを様々な表示パターンで連続的に再生することができ、よりユーザ好みの再生方法を実現することができる。
【００１４】
この発明に係わる画像再生方法は、複数の静止画ファイルが記録された記録媒体から、所定数の静止画ファイルを選択的に読出して連続再生する画像再生方法であって、再生すべき所定数の静止画ファイルの各々の再生時間、および画像切替え時の効果を示す表示効果とを設定する第１のステップと、第１のステップによって設定された再生時間および表示効果に従って、所定数の静止画ファイルを連続再生し、それらの画像をディスプレイに表示させる第２のステップとを含む。この場合、再生すべき複数の静止画ファイルの各々に対して、所望の表示効果を個別に設定することできる。したがって、複数の静止画ファイルを様々な表示パターンで連続的に再生することができ、よりユーザ好みの再生方法を実現することができる。
【発明を実施するための最良の形態】
【００１５】
図１は、この発明の一実施の形態による画像再生装置１の概略構成を示すブロック図である。図１において、この画像再生装置１は、内部バス４と、ＣＰＵ（中央処理装置）５と、ＲＯＭ(Read Only Memory)６と、ＲＡＭ（Random Access Memory）７と、入力部８とを備える。
【００１６】
画像再生装置１において、内部バス４を介して、ＣＰＵ５にＲＯＭ６とＲＡＭ７と入力部８とが接続されている。ＣＰＵ５は、画像再生装置１の全体動作を制御する。記録媒体２はたとえばＤＶＤやＣＤであって、この記録媒体２には複数の静止画ファイル（たとえばＪＰＥＧファイル）が記録されている。画像再生装置１は、記録媒体２に記録されている複数の静止画ファイルの中から再生したい静止画ファイルを選択し、選択した静止画ファイルの画像をディスプレイ３に連続的に表示させることができる。記録媒体２には静止画ファイルに加えてＭＰ３などの音楽ファイルも記録することができ、画像再生装置１は、音楽ファイルの再生に同期させて静止画ファイルを再生することも可能である。
【００１７】
ＲＯＭ６は、画像再生装置１の動作を制御するための制御プログラムが格納される読出し専用の半導体メモリである。ＲＡＭ７は、記録媒体２に記録された複数の静止画ファイルのうち再生したい静止画ファイルの表示時間や、静止画ファイルの画像切替え時の効果を示す表示効果などを設定するための再生用テーブルが格納される読み書き可能な半導体メモリである。ユーザは、入力部８を介して、再生用テーブルの設定など画像再生装置１の各種操作を行なう。ディスプレイ３は、再生用テーブルの設定画面や静止画ファイルの画像を表示する。ＣＰＵ５およびＲＯＭ６は制御手段を構成し、ＲＡＭ７および入力部８は設定手段を構成する。
【００１８】
図２は、図１に示したディスプレイ３に表示される再生用テーブルの設定画面である。図２を参照して、再生用テーブルの設定画面には、まず記録媒体２から読取った静止画ファイル情報（ＪＰＥＧ１１，ＪＰＥＧ１２，ＪＰＥＧ１３，・・・）の一覧がプルダウン表示される。ユーザは、静止画ファイル情報の一覧から再生したい静止画ファイル（ＪＰＥＧ１１，ＪＰＥＧ２２，ＪＰＥＧ３７，・・・）を選択する。このとき、静止画ファイル情報の一覧から任意の静止画ファイル（たとえばＪＰＥＧ１１）を設定画面の下部に縮小表示させることができ、ユーザは縮小表示された画像を参照しながら、再生したい静止画ファイル（ＪＰＥＧ１１，ＪＰＥＧ２２，ＪＰＥＧ３７，・・・）を選択する。次に、ユーザは選択した静止画ファイルの表示時間（７秒，５秒，２秒，・・・）、開始表示効果（フェード，ワイプ，ディゾルブ，・・・）および終了表示効果（スクロール，フェード，カット，・・・）を設定する。
【００１９】
図３は、再生用テーブルの設定手順を示すフローチャートである。図３を参照して、ステップＳ１において、ユーザが入力部８を介して再生用テーブルの設定画面の表示を指示すると、ＣＰＵ５はディスプレイ３に再生用テーブルの設定画面を表示させる。この設定画面には、記録媒体２から読取った静止画ファイル情報（ＪＰＥＧ１１，ＪＰＥＧ１２，ＪＰＥＧ１３，・・・）の一覧がプルダウン表示される。
【００２０】
次に、ステップＳ２において、ユーザは静止画ファイル情報の一覧から１番目に再生したい静止画ファイル（たとえばＪＰＥＧ１１）を選択する。次いで、ステップＳ３において、選択した静止画ファイルの表示時間（たとえば７秒）、開始表示効果（たとえばフェード）および終了表示効果（たとえばスクロール）を設定する。
【００２１】
次に、ステップＳ４において、設定が終了していなければ（ＮＯ）、ステップＳ２に戻り、ユーザは２番目に再生したい静止画ファイルを選択する（たとえばＪＰＥＧ２２）。そして、ステップＳ２からステップＳ４まで同様の動作を繰返す。再生したい静止画ファイルの設定がすべて終了すると（ＹＥＳ）、ステップＳ５に進む。ステップＳ５において、静止画ファイルの再生が指示されたことに応じて、設定した再生用テーブルに従って、選択された静止画ファイル（ＪＰＥＧ１１，ＪＰＥＧ２２，ＪＰＥＧ３７，・・・）のみが連続再生され、ディスプレイ３にそれらの画像が連続表示される。
【００２２】
図４は、ディスプレイ３に連続表示される画像を示す図である。図４を参照して、再生用テーブルに従って、１つ目の静止画ファイル（ＪＰＥＧ１１）の画像が設定された開始表示効果（フェード）で表示される。そして、設定された表示時間（７秒）が経過すると、設定された終了表示効果（スクロール）でその画像表示が終了する。続けて２つ目の静止画ファイル（ＪＰＥＧ２２）の画像が設定された開始表示効果（ワイプ）で表示される。そして、設定された表示時間（５秒）が経過すると、設定された終了表示効果（フェード）でその画像表示が終了する。続けて３つ目の静止画ファイル（ＪＰＥＧ３７）の画像が設定された開始表示効果（ディゾルブ）で表示される。そして、設定された表示時間（２秒）が経過すると、設定された終了表示効果（カット）でその画像表示が終了する。このように、再生用テーブルで設定した表示時間、開始表示効果および終了表示効果に従って、再生したい静止画ファイルのみが自動的に連続再生され、ディスプレイ３にそれらの画像が連続表示される。
【００２３】
したがって、この一実施の形態では、複数の静止画ファイルの各々に対して、所望の表示効果を個別に設定することできる。また、複数の静止画ファイルの各々に対して、所望の開始表示効果および終了表示効果を個別に設定できるようにしたことによって、複数の静止画ファイルを様々な表示パターンで連続的に再生することができ、よりユーザ好みの再生方法を実現することができる。また、記録媒体から読込んだ静止画ファイル情報の一覧から任意の静止画ファイルを設定画面の下部に縮小表示させることによって、ユーザは縮小表示された画像を参照しながら、再生したい静止画ファイルを選択することができるため、使い勝手がよい。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２５】
【図１】この発明の一実施の形態による画像再生装置の概略構成を示すブロック図である。
【図２】図１に示したディスプレイに表示される再生用テーブルの設定画面である。
【図３】再生用テーブルの設定手順を示すフローチャートである。
【図４】ディスプレイに連続表示される画像を示す図である。
【符号の説明】
【００２６】
１  画像再生装置、２  記録媒体、３  ディスプレイ、４  内部バス、５  ＣＰＵ、６  ＲＯＭ、７  ＲＡＭ、８  入力部。
【図１】
2006174134.tif 000003
【図２】
2006174134.tif 000004
【図３】
2006174134.tif 000005
【図４】
2006174134.tif 000006